(57)【特許請求の範囲】
【請求項１】
マルチキャスト・ブロードキャスト単一周波数ネットワーク（ＭＢＳＦＮ：ｍｕｌｔｉｃａｓｔ  ｂｒｏａｄｃａｓｔ  ｓｉｎｇｌｅ  ｆｒｅｑｕｅｎｃｙ  ｎｅｔｗｏｒｋ）サブフレームを再利用するための方法であって、
再利用されるＭＢＳＦＮサブフレームでユニキャストを使用するポリシーを構成するステップと、
前記ＭＢＳＦＮサブフレームを再利用するために前記構成されたポリシーを実装するステップと
を含み、
前記再利用されるＭＢＳＦＮサブフレームでユニキャストを使用する前記ポリシーは、前記ＭＢＳＦＮサブフレームを再利用するときに移動性測定を実行しないことを含み、
前記構成されたポリシーを実装する前記ステップは、前記再利用されるＭＢＳＦＮサブフレーム以外のＭＢＳＦＮサブフレームで移動性測定を実行することを含む、方法。
【請求項２】
前記再利用されるＭＢＳＦＮサブフレームでユニキャストを使用する前記ポリシーは、前記ＭＢＳＦＮを再利用するときにユニキャスト・タイプのサブフレームを使用することを含み、
前記構成されたポリシーを実装する前記ステップは、前記構成に基づいて前記再利用されるＭＢＳＦＮサブフレームでユニキャスト通信を実行することを含む
請求項１に記載のリレー通信方法。
【請求項３】
前記再利用されるＭＢＳＦＮサブフレームでユニキャストを使用する前記ポリシーは、隣接するセルの情報に再利用されるユニキャストを考慮しないことを含み、
前記構成されたポリシーを実装する前記ステップは、格納された隣接するセルのリストを構成するときに前記ユニキャストに関するコンテンツを含まないことを含む
請求項１に記載のリレー通信方法。
【請求項４】
前記再利用されるＭＢＳＦＮサブフレームでユニキャストを使用する前記ポリシーは、それ以上使用されないＭＢＳＦＮサブフレームおよび／または再利用することが許されるＭＢＳＦＮサブフレームを示すことを含み、
前記構成されたポリシーを実装する前記ステップは、再利用することが許されるように設定されているＭＢＳＦＮサブフレームの発生を決定および監視することを含む
請求項３に記載のリレー通信方法。
【請求項５】
再利用されるＭＢＳＦＮサブフレームでユニキャストを使用するポリシーを構成するための構成用ユニットと、
前記ＭＢＳＦＮサブフレームを再利用するために前記構成されたポリシーを実装するための実装ユニットと
を含み、
前記構成ユニットは、前記ＭＢＳＦＮサブフレームを再利用するときに移動性測定を実行しないように構成するように配置され、
前記実装ユニットは、前記再利用されるＭＢＳＦＮサブフレーム以外のＭＢＳＦＮサブフレームで移動性測定を実行するための測定モジュールを含む、モバイル端末。
【請求項６】
前記構成ユニットは、前記ＭＢＳＦＮサブフレームを再利用するときにユニキャスト・タイプのサブフレームを使用するために構成するように配置され、
前記実装ユニットは、前記構成ユニットによる前記構成に基づいて前記再利用されるＭＢＳＦＮサブフレームでユニキャスト通信を実行するための伝送モジュールを含む
請求項５に記載のモバイル端末。
【請求項７】
前記構成ユニットは、隣接するセルの情報に再利用されるユニキャストを考慮しないように構成するために配置され、
前記実装ユニットは、格納された隣接するセルのリストを構成するときに前記ユニキャストに関するコンテンツを含めないために格納モジュールを含む
請求項５に記載のモバイル端末。
【請求項８】
前記構成ユニットは、それ以上使用されないサブフレームおよび／または再利用することが許されるＭＢＳＦＮサブフレームを示すように構成するために配置され、
前記実装ユニットは、使用することが許されるように設定されたＭＢＳＦＮサブフレームであるサブフレームの発生を決定および監視するために監視モジュールを含む
請求項７に記載のモバイル端末。
【請求項９】
基地局、請求項５乃至８のいずれか１項に記載のモバイル端末、および基地局間の通信のためのデバイスを含む通信システム。
【発明の詳細な説明】
【技術分野】
【０００１】
本発明は無線マルチキャストの分野に関し、より具体的には、ＭＢＳＦＮサブフレームを再利用するための方法および装置に関する。
【背景技術】
【０００２】
実際に使用されている無線リソースにおいては、未使用のＭＢ（マルチキャスト・ブロードキャスト）ＳＦＮ（単一周波数ネットワーク）サブフレームを見つけることができる。現在の仕様は、これらのサブフレームの共有をサポートしていない。これらのサブフレームを再利用するいくつかの方式が提案されている。それらの方式のいくつかは、すべてのＭＢＳＦＮサブフレームを監視することを提案している。しかし、ユーザ装置（ＵＥ）にとって、電力を節約することは重要な指標であるにもかかわらず、そのような解決策は大量の電力を消費する。他のいくつかの方式は、物理的なダウンリンク制御チャネル（ＰＤＣＣＨ）でＭＢＳＦＮサブフレームの再利用を示すために信号を送信することを提案している。しかし、この解決策は実装するのが複雑であると同時に、物理レイヤに影響する。同時に、これらの方式はすべて、ＲＡＮ１プロトコルを書き直すことを明らかに必要とするため、ＲＡＮ１アーキテクチャ全体に影響する。
【０００３】
したがって、省電力化と実装の複雑さとのバランスを達成しながら、現在のプロトコルに影響を及ぼさない、ＭＢＳＦＮサブフレームを再利用する解決策が望ましい。
【発明の概要】
【課題を解決するための手段】
【０００４】
本発明の目的は、現在のプロトコルに影響を及ぼすことなくＭＢＳＦＮサブフレームを再利用するように、ＭＢＳＦＮサブフレームを再利用するための方法および装置を提供することにある。
【０００５】
ＭＢＳＦＮサブフレームを再利用するための方法が提供される。方法は、再利用されるＭＢＳＦＮサブフレームでユニキャストを使用するポリシーを構成するステップと、ＭＢＳＦＮサブフレームを再利用するために構成されたポリシーを実装するステップとを含む。
【０００６】
モバイル端末がさらに提供される。モバイル端末は、再利用されるＭＢＳＦＮサブフレームでユニキャストを使用するポリシーを構成するための構成ユニットと、ＭＢＳＦＮサブフレームを再利用するために構成されたポリシーを実装するための実装ユニットとを含む。
【０００７】
通信システムがさらに提供される。通信システムは、前述のモバイル端末、モバイル端末にＭＢＭＳサービスを提供するための基地局、および基地局間を接続するためのデバイスを含む。
【０００８】
上記の技術的解決策を通じて、本発明の実施形態によって提供される技術的解決策は、ＭＢＳＦＮサブフレームでユニキャスト・サービスの伝送を実装することができ、省電力化と実装の複雑さとのバランスを達成しながら、既存のプロトコルに影響を及ぼさない。
【０００９】
添付の図面を参照する以下の記述に基づいて、本発明の利点について、より深く理解できるだろう。
【図面の簡単な説明】
【００１０】
【図１】本発明の実施形態による通信システムの構造ブロック図である。
【図２】図１に示すシステムのモバイル端末のブロック図である。
【図３】本発明の実施形態によるＭＢＳＦＮサブフレームを再利用するための方法のフローチャートである。
【発明を実施するための形態】
【００１１】
以下に、添付の図面に関して本発明について詳細に記述する。
【００１２】
図１は、本発明の実施形態によるシステムの構造図である。図１に示すように、システムは、複数の基地局（ｅＮＢ）および複数のモバイル端末（ＵＥ）を含み、ＵＥ１は、現在使用されているモバイル端末であると想定され、基地局１は、ＵＥ１に対してサービスを提供する基地局であると想定される。しかし、実際に展開されるネットワークはこれより多くの、またはより少ない基地局およびモバイル端末を有することができることを、当業者は理解するであろう。また、複数の基地局間の相互接続は、図１に例示的に示すコア・ネットワーク・デバイスを通じて実装するだけでなく、他の方法で実装することができる。
【００１３】
モバイル端末がさらに提供される。図２に示すように、モバイル端末は、再利用されるＭＢＳＦＮサブフレームでユニキャストを使用するポリシーを構成するための構成ユニット２１０と、ＭＢＳＦＮサブフレームを再利用するための構成されたポリシーを実装するための実装ユニット２２０とを含むことができる。
【００１４】
構成ユニット２１０は、ＭＢＳＦＮサブフレームを再利用するときユニキャスト・タイプのサブフレームを使用するものとしてポリシーを構成することができる。実装ユニット２２０は、構成ユニット２１０による構成に基づいて、再利用されるＭＢＳＦＮサブフレームでユニキャスト通信を実行するために伝送モジュール２２１を含むことができる。ここでは、再利用されるＭＢＳＦＮサブフレームでユニキャスト通信を実行することは、再利用されるＭＢＳＦＮサブフレームのリソースを使用して、ユニキャスト通信を実行することを意味する。
【００１５】
構成ユニット２１０は、ＭＢＳＦＮサブフレームを再利用するとき移動性測定を実行しないものとしてポリシーを構成することができる。実装ユニット２２０は、構成ユニット２１０による構成に基づいて再利用されるＭＢＳＦＮサブフレームを除き、他のＭＢＳＦＮサブフレームで移動性測定を実行するために測定モジュール２２２をさらに含むことができる。好ましくは、構成ユニット２１０は、ＭＢＳＦＮサブフレームでユニキャスト・サービスを伝送することを可能にするものとしてポリシーを単に構成することができる。
【００１６】
構成ユニット２１０は、隣接するセルの情報に再利用されるユニキャストを考慮しないものとしてポリシーを構成することができる。実装ユニット２２０は、構成ユニット２１０による構成に基づいて隣接するセルの格納されたリストを構成するときに、ユニキャストに関連するコンテンツを含まないように格納モジュール２２３をさらに含むことができる。
【００１７】
構成ユニット２１０は、それ以上使用されないサブフレームおよび／または再利用することが許されるＭＢＳＦＮサブフレームに対して示すものとしてポリシーを構成することができる。実装ユニット２２０は、ＭＢＳＦＮサブフレームであり、使用することが許されるように設定されている、そのようなサブフレームの発生を決定および監視するために監視モジュール２２４をさらに含むことができる。好ましくは、構成ユニットによって構成されたように、それ以上使用されないサブフレームおよび／または再利用することが許されるＭＢＳＦＮサブフレームに関する情報は、ＢＣＣＨチャネルを介してサービスを提供する基地局から送信することができる。
【００１８】
本実施形態のモバイル端末は、個別の機能モジュールの形で記述されているが、図２に示す各コンポーネントは、実際の用途においては複数のデバイスによって実装することができ、示すような複数のコンポーネントは、また、実際の用途においては１つのチップまたは１つのデバイスに統合することができる。以下に、上記のモバイル端末によって実装されるサブフレームを再利用するための方法について詳細に説明する。
【００１９】
図３は、本発明の実施形態によるＭＢＳＦＮサブフレームを再利用するための方法のフローチャートである。図３に示すように、ステップ３１０において、構成ユニット２１０は、再利用されるＭＢＳＦＮサブフレームでユニキャストを使用するポリシーを構成する。ステップ３２０において、実装ユニット２２０は、ＭＢＳＦＮサブフレームを再利用するために構成ユニット２１０によって構成されたポリシーを実装する。以下に、様々な構成およびそれらの実装についてそれぞれ説明する。
【００２０】
構成Ｉ：ＭＢＳＦＮを再利用するときにユニキャスト・タイプのサブフレームを使用する
【００２１】
空のサブフレームの原因は、データ転送速度の変動、ＳＩＢ２の更新頻度の遅さ、およびセッション終了後に保持されたリソースなどを含む。ＭＢＭＳサービスは、３２０ミリ秒／６４０ミリ秒のスケジューリング周期の間に送信することができ、データは、１秒レベルでバッファおよび平滑化することができる。実際に測定されるデータは、未使用のＭＢＳＦＮサブフレームの割合が約３０％であることを示す。
【００２２】
構成ユニット２１０は、ＭＢＳＦＮサブフレームを再利用するときにユニキャスト・タイプのサブフレームを使用して構成することができる。本発明の１つの例では、ＭＢＳＦＮサブフレームは、６つの直交周波数分割多重（ＯＦＤＭ）符号を含み、ユニキャスト・サブフレームは、７つのＯＦＤＭ符号を含む。実装ユニット２２０の伝送モジュール２２１は、構成ユニット２１０による構成に基づいて、再利用されるＭＢＳＦＮサブフレームでユニキャスト通信を実行する。
【００２３】
構成ＩＩ：再利用されるＭＢＳＦＮサブフレームでの移動性測定は適用できない
【００２４】
構成ユニット２１０は、ＭＢＳＦＮサブフレームを再利用するときに移動性測定を実行しないように構成することができる。さらに、実装ユニット２２０の測定モジュール２２２は、構成ユニット２１０による構成に基づいて再利用されるＭＢＳＦＮを除き、他のＭＢＳＦＮサブフレームで移動性測定を実行する。
【００２５】
構成ＩＩＩ：隣接するセルの情報を構成するときに再利用されるユニキャストを考慮しない
【００２６】
構成ユニット２１０は、隣接するセルの情報に再利用されるユニキャストを考慮しないように構成することができる。構成ユニット２１０による構成に基づいて格納された隣接するセルのリストを構成する場合、実装ユニット２２０の格納モジュール２２３は、ユニキャストに関するコンテンツを含まない。好ましくは、ここで、隣接するセルの情報は、ｎｅｉｇｈＣｅｌｌＣｏｎｆｉｇ信号を参照する。
【００２７】
以下に、構成ＩＩおよび構成ＩＩＩについて説明する。
【００２８】
本発明の実施形態の好ましい解決策は、ＭＢＳＦＮサブフレーム割り当て信号およびｎｅｉｇｈＣｅｌｌＣｏｎｆｉｇ信号を使用することである。この解決策では、プロトコルにおいて以下の２つの想定が書き直される。
【００２９】
１．ＵＥは、スケジューリングされたユニキャスト・サービス・データがＭＢＳＦＮサブフレームにないと認識する。
【００３０】
２．無線資源制御（ＲＲＣ）信号ｎｅｉｇｈＣｅｌｌＣｏｎｆｉｇは、隣接するセルが、現在のセルと同一のＭＢＳＦＮサブフレームをすべて有する／部分的に有する／有していないかどうかを示す。
【００３１】
好ましくは、ＵＥに、ユニキャスト伝送がこれらのＭＢＳＦＮサブフレームで常に許されると通知することができる。隣接するセルがユニキャストを伝送するためにＭＢＳＦＮサブフレームを使用する場合、これらのサブフレームは、ＭＢＳＦＮに使用されることと、ＭＢＳＦＮに使用されないことがあるため、ＵＥは、これらのサブフレームで移動性測定を実行しない。
【００３２】
これらのＭＢＳＦＮサブフレームがユニキャスト・データを伝送することを許される場合、隣接するセルが現在のセルと同じＭＢＳＦＮサブフレーム割り当てを持つことは、ほとんど不可能である。したがって、ユニキャスト伝送がＭＢＳＦＮサブフレームで常に許されるという指示のおかげで、極端な制約がｎｅｉｇｈＣｅｌｌＣｏｎｆｉｇに適用されることがある。可能性のある１つの方法は、移動性測定のためにＭＢＳＦＮサブフレーム（ＭＢＳＦＮサブフレームまたは再利用されるＭＢＳＦＮサブフレーム）を適用しないことである。さらに、好ましくは、ユニキャストがＭＢＳＦＮに挿入されないかのように、ｎｅｉｇｈＣｅｌｌＣｏｎｆｉｇが構成される。
【００３３】
構成ＩＶ：これらのサブフレームでＤＬ割り当てを使用および監視することを許されたサブフレームを示す
【００３４】
構成ユニット２１０は、それ以上使用されないＭＢＳＦＮサブフレームおよび／または再利用することが許されるＭＢＳＦＮサブフレームに対する指示を構成することができる。実装ユニット２２０の監視モジュール２２４は、再利用することが許されるように設定された、そのようなＭＢＳＦＮサブフレームの発生を決定および監視する。好ましくは、それ以上使用されないサブフレームおよび／または構成ユニットによって構成されるように再利用することが許されるＭＢＳＦＮサブフレームに関する情報は、ＢＣＣＨチャネルを介してサービスを提供する基地局から送信することができる。
【００３５】
簡潔に記述すると、本発明の実施形態で提案する解決策は、ＭＢＭＳおよびユニキャストを同時に受け入れるＵＥが空のＭＢＳＦＮサブフレームを再利用することを抑制することである。しかし、ＵＥは、アップリンク・レポートを実行することが要求され、好ましくは、ＵＥがユニキャスト・セッション期間中にＭＢＭＳの受信を停止するかどうかを一度報告することだけが要求される。ユニキャスト・サービスを受信する間にモバイル・テレビを見るユーザが多すぎることはないことに注意されたい。音声サービスは、継続的なスケジューリングを必要とするため、低優先度のＭＢＳＦＮサブフレームに割り当てるのには適していない。この点は、ＢＣＣＨチャネルにおいて、それ以上再利用されないサブフレーム（または再利用することが許されたサブフレーム）を示すために安全域を構成することで実装することができる。ＵＥは、単に、使用することを許すように設定されたＭＢＳＦＮサブフレームのサブフレーム時間を監視するように要求される。再利用されるサブフレームの量が多すぎないため、この解決策はリソースを消費しすぎることがなく、現在の設定により適している。
【００３６】
好ましくは、上記の構成情報は、コア・ネットワークのユーザが構築し、モバイル端末に発行することができる。
【００３７】
Ｒｅｌ１０において、ユニキャストがＬｏｎｇ  Ｔｅｒｍ  Ｅｖｏｌｕｔｉｏｎ−ａｄｖａｎｃｅｄ（ＬＴＥ−Ａ）のｅＮＢ−中継器（ｅＮＢ−ｒｅｌａｙ）に割り当てられた未使用のＭＢＳＦＮサブフレームを再利用することについて議論されている。次の２つのシナリオにおいて解決策が望まれている：可能であれば、ユニキャストはＭＢＳＦＮタイミングおよびｅＮＢ−中継器のタイミングのために未使用のＭＢＳＦＮサブフレームを再利用する。この点で、動的スケジューリング情報（ＤＳＩ）における潜在的な排他的インジケータは、適切な候補ではない。しかし、どのような場合でも、ＲＡＮ２の解決策は、ＲＡＮ１に対する最小限の影響を考慮しながら指示を実行する必要がある。
【００３８】
本発明の実施形態によって提供される解決策は、ＵＥが、再利用されるＭＢＳＦＮサブフレームで送信されたユニキャスト・サブフレームを正しく読み出すせることを保証する。その一方、物理レイヤでの変更を含まないために、従来の解決策より単純であり、既存のプロトコル（たとえば、ＲＡＮ１プロトコル）に影響を及ぼさない。
【００３９】
上記の様々な方法のステップは、プログラムされたコンピュータによって実行できることは、当業者であれば容易に認識できるだろう。本明細書において、一部の実施形態は、たとえば、マシンまたはコンピュータで読み取り可能であり、マシンで実行可能またはコンピュータで実行可能な指示のプログラムを符号化する、デジタル・データ記憶メディアなど、プログラム記憶デバイスを対象とすることを意図するものであり、前述の指示は、上記方法の一部またはすべてのステップを実行する。プログラム記憶デバイスは、たとえば、デジタル・メモリ、磁気ディスクおよび磁気テープ、ハード・ドライブなどの磁気記憶メディア、または光学的に読み取り可能なデジタル・データ記憶メディアなどでもよい。また、実施形態は、上記方法の前記ステップを実行するようにプログラムされたコンピュータを対象にすることを意図している。
【００４０】
記述および図は、単に本発明の原理を示すものである。したがって、本明細書に明示的に記述または図示していないが、当業者なら、本発明の原理を具体化し、その精神および範囲に含まれる様々な配置を考案することができることを理解されたい。さらに、本明細書に詳述したすべての例は、読者が本発明の原理、およびその技術を推進する発明者によって提供された概念を理解するのを支援するために、特に教育のみを目的とすることを主に意図するものであり、そのような具体的に詳述された例および条件に限定しないものとして解釈するべきである。さらに、本明細書において、本発明の原理、態様、および実施形態を詳述するすべての記述、および特定の例は、その等価物を包含することを意図するものである。
【００４１】
上記の記述は、単に本発明の実施形態を実装するためのものであり、本発明の範囲から逸脱することのない任意の変形または部分的な置き換えは、本発明の特許請求の範囲で限定される範囲に属するべきであることを当業者なら理解されるだろう。したがって、本発明の保護範囲は、特許請求の範囲の保護範囲によって管理されるべきである。
【図１】
0005523622.tif 000002
【図２】
0005523622.tif 000003
【図３】
0005523622.tif 000004